(57)【要約】【課題】通信端末に装着されていない状態であっても、ネットワーク上の共通の情報場にコンテンツ情報や識別情報を示すことが可能としたリムーバブルメディアを提供する。【解決手段】情報を記録する記録部１３と、外部からの信号を受信し、かつ外部へ信号を送信する機能を有する通信手段１２とを具備し、複数の通信端末２００が互いに電気的に接続されることによって形成された共通の情報場に、複数の通信端末のうちの任意の通信端末によってアクセスすることにより、記録部に記録された情報が得られるようになされている情報記録媒体１００を提供する。【選択図】　　　図５
2004071120.tif 000002
【特許請求の範囲】
【請求項１】
情報を記録する記録部と、外部からの信号を受信し、外部へ信号を送信する機能を有する通信手段とを具備し、
複数の通信端末が互いに電気的に接続されることによって形成された共通の情報場に、上記複数の通信端末のうち、任意の通信端末によってアクセスすることにより、上記記録部に記録された情報が得られるようになされていることを特徴とする情報記録媒体。
【請求項２】
上記記録部は、少なくとも二以上の記録装置により構成され、当該二以上の記録装置のうち、主記録装置に記録された情報を特定するための情報を、副記録装置に記録するようになされていることを特徴とする請求項１に記載の情報記録媒体。
【請求項３】
上記記録部は、少なくとも二以上の記録装置により構成され、当該二以上の記録装置のうち、副記録装置には、情報記録媒体の保管位置に関する情報を記録するようになされ、
上記共通の情報場に、上記任意の通信端末によってアクセスすることにより、上記保管位置に関する情報が得られるようになされていることを特徴とする請求項１に記載の情報記録媒体。
【請求項４】
上記通信手段を駆動する電源と、入出力手段とを具備し、
上記通信端末に接続し、上記入出力手段を介して情報の記録が行われるようになされ、上記通信手段を介して上記共通の情報場に、記録された情報の開示を行うようになされていることを特徴とする請求項１に記載の情報記録媒体。
【請求項５】
情報を記録する記録部と、外部からの信号を受信し、外部へ信号を送信する機能を有する通信手段とを備えている情報記録媒体と、
複数の通信端末が互いに電気的に接続されることによって形成された共通の情報場とを備え、
上記複数の通信端末のうち、任意の通信端末によって上記共通の情報場にアクセスすることによって、上記情報記録媒体に記録された情報が開示されるようになされていることを特徴とする情報装置。
【請求項６】
上記共通の情報場にアクセスすることによって、開示される情報が、上記情報記録媒体に記録されたコンテンツに関する情報であることを特徴とする請求項５に記載の情報装置。
【請求項７】
上記情報記録媒体に記録されたコンテンツに関する情報が、上記情報記録媒体の保管位置であることを特徴とする請求項６に記載の情報装置。
【請求項８】
上記情報記録媒体がグローバルポジショニングシステム機能を有し、衛星通信によって保管位置が特定され、当該保管位置に関する情報が上記複数の通信端末のうち、任意の通信端末によって上記共通の情報場にアクセスすることによって得られるようになされていることを特徴とする請求項７に記載の情報装置。
【発明の詳細な説明】
【０００１】
【発明の属する技術分野】
本発明は、情報記録媒体およびこれを具備する情報装置に係る。
【０００２】
【従来の技術】
近年、ネットワークの発達およびブロードバンド化によって、多くの機器がネットワークに繋がり、電子データを相互にやりとりできるようになってきている。
例えば、ビデオデッキやホームサーバ、デジタルカメラ、携帯電話等のように、所定の記憶装置を具備する端末がネットワークに繋がった場合において、このネットワークによって形成された共通の情報場にすべての端末が接続されているものと仮定すると、それらのうちのどの端末の記憶装置に記録された情報であるかを意識せず、一つの共通の情報場にアクセスすることによって所望の情報を得ることができるようにする検討も始まっている。
【０００３】
【発明が解決しようとする課題】
しかしながら、ビデオテープ、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｃ）、ＭＤ（Ｍｉｎｉ　Ｄｉｓｃ）のような、所定の機器によって情報の記録や再生が行われ、ユーザーによって取り出しが自由に行われる、いわゆるリムーバブル媒体そのものについては、上述したようなネットワークに繋がるといった機能を有するものは無かった。
【０００４】
すなわち、このようなリムーバブル媒体は、ネットワークに繋がった所定の端末から取り外されて任意の場所に保管されているような場合においては、他の任意の端末からネットワークにアクセスしても、そのリムーバブル媒体の種々のコンテンツデータや記録情報を検索することはできない。
【０００５】
そこで本発明においては、上述したようなリムーバブル媒体がネットワークに繋がった端末から取り外されている状態にある場合においても、ネットワークにアクセスすることによって、目的のコンテンツに関するデータの検索を可能とした情報記録媒体およびこれを用いた情報装置を提供する。
【０００６】
【課題を解決するための手段】
本発明の情報記録媒体は、情報を記録する記録部と、外部からの信号を受信し、外部へ信号を送信する機能を有する通信手段とを具備し、複数の通信端末が互いに電気的に接続されることによって形成された共通の情報場に、複数の通信端末のうちの、任意の通信端末によってアクセスすることにより、記録部に記録された情報が得られるようになされているものとする。
【０００７】
本発明の情報装置は、情報を記録する記録部と、外部からの信号を受信し、外部へ信号を送信する機能を有する通信手段とを備えている情報記録媒体と、複数の通信端末が互いに電気的に接続されることによって形成された共通の情報場とを具備し、複数の通信端末のうちの、任意の通信端末によって、共通の情報場にアクセスすることによって、情報記録媒体に記録された情報が開示されるようになされているものとする。
【０００８】
本発明によれば、リムーバブルメディアに通信機能を持たせたことによって、通信端末に装着されていない状態であっても、ネットワーク上の共通の情報場にコンテンツに関する情報や保管位置等の、いわゆる識別情報を示すことが可能となる。これによりリムーバブルメディア自体に予めコンテンツ情報や位置情報を記録しておくことにより、任意の通信端末からネットワークを通じて目的のコンテンツを検索することが可能となり、管理の集積と整理が簡易なものとなる。
【０００９】
【発明の実施の形態】
本発明の情報記録媒体およびこれを用いた情報装置の具体的な実施の形態について、図を参照して説明するが、本発明は以下の例に限定されるものではない。
【００１０】
以下においては、情報記録媒体としてビデオテープを内蔵したビデオカセットを例に挙げて説明する。図１にビデオカセット１００の一例の概略平面図を示し、図２に概略斜視図を示す。
【００１１】
図１に示すように、ビデオカセット１００は、情報を記録する記録部１３と、外部からの信号を受信し、かつ外部へ信号を送信する機能を有する通信手段２０とを具備している。
記録部１３は、主記録装置１１を構成するビデオテープと、副記録装置１２を構成する半導体メモリにより構成されている。
図２に示す通信手段２０は、アンテナ２１、受信部２２、および発信部２３により構成されており、例えば充電池やコンデンサー等の通信用電源部２４に接続されている。また、ビデオカセット１００は、外部端末と接続可能なデータ入出力端子３０を有している。
【００１２】
図３にビデオカセット１００を、記録再生機能を有する任意の端末２００に組み込んだ状態の概略図を示す。
カセット１００からはビデオテープ１１が、供給ロール２０１、ガイドローラ２０２を経て、磁気ヘッド２０３が搭載された記録再生ドラム２０４に巻きつくように送られ、ここでビデオテープ１１に情報の記録、再生がなされる。
そして記録再生ドラム２０４で情報の記録再生がなされたビデオテープ１１は、ガイドローラ２０２を経て巻き取りロール２０５へと送られる。
また、端末２００内に組み込まれたカセット１００のデータ入出力端子３０は端末２００の入出力端子３１と接続され、端末２００から図２に示した副記録装置（半導体メモリ）１２に、所定の識別情報が記録されるようになされている。なお、入出力端子３０および３１は、金属端子を接触する構成のものを適用できるが、その他電磁波等により非接触でデータを送受信するものであってもよい。
【００１３】
図４に情報記録媒体（ビデオカセット）１００と端末２００との相互の接続関係の構成図を示す。
図４に示すように、端末（この例においては、ビデオカメラ）２００は、主記録手段２１１であるカセットデッキ、識別情報の入出力部２１２、および通信部２１３を具備しており、それぞれビデオカセット１００の主記録装置（ビデオテープ）１１、データ入出力端子３０、通信手段２０と電気的に接続される。
【００１４】
また、情報記録媒体１００は、ＧＰＳ（グローバルポジショニングシステム）の機能を有するものとしてもよく、これにより衛星通信によって情報記録媒体１００の位置情報を設定することもでき、これを識別情報として半導体メモリ１２に記録するようにしてもよい。
【００１５】
上述したような端末２００を複数個互いに電気的に接続して通信ネットワークを形成して、図５に示すように共通の情報場３０１が形成された情報装置３００を構成する。
このとき、共通の情報場３０１を構成するそれぞれの端末２００は、例えば情報記録媒体１００に対して情報の記録、再生を行うビデオデッキや撮影用カメラ、その他のコンピュータ等が適用できるが、これらの例に限定されるものではない。
図５に示す情報装置３００を実際に利用する操作について、図６のフローチャートを参照して説明する。
【００１６】
先ず、情報記録媒体１００を撮影用カメラやビデオデッキに組み込み、所定の映像情報を記録する（工程１）。このとき、映像を撮影、あるいは記録した日時、使用した機器、映像情報の内容や保管位置情報等の任意の識別情報を、図２に示した情報記録媒体１００の副記録装置（半導体メモリ）１２に記録する（工程２）。なお位置情報としては、ＧＰＳ（グローバルポジショニングシステム）機能による衛星通信によって得られた情報を利用することもできる。
【００１７】
所望のデータを情報記録媒体１００に記録した後、情報記録媒体１００を端末２００から取り外して所定の場所に保管する（工程３）。
ここで、情報記録媒体１００を使用端末である撮影用カメラやビデオデッキからは離れた位置に保管し、他の所定の通信端末２００例えばパーソナルコンピュータに、より近傍に存在する場合を仮定する。
情報記録媒体１００の通信手段２０により、その近傍の端末２００の通信部と交信させ（工程４）、情報記録媒体１００が、現在、図５のネットワークを構成している複数の端末のうち、どの端末の近傍に存在しているのか等の識別情報をその端末の記憶装置に記録する（工程５）。
このようにすると、その端末がネットワークを構成する共通の情報場３０１に、上記情報記録媒体に関する識別情報が開示可能な状態となる。
【００１８】
次に、ネットワークに繋がった他の任意の端末から、共通の情報場３０１にアクセスし、上記情報記録媒体１００に関する情報を検索、要求する（工程６）。
このようにすると、要求されたデータと、当該情報記録媒体に関する付属情報や位置情報等の識別情報が送信され（工程７）、ネットワークの端末上で、情報記録媒体１００に記録されたデータに関する詳細な情報や位置情報が確認できる（工程８）。
【００１９】
さらに、必要に応じて目的の情報記録媒体を再生可能な端末にセットして、その再生情報を端末のネットワークに繋がった記憶装置（ストレージ）に記録（コピー）しておき（工程９）、次に他の任意の端末から共通の情報場３０１にアクセスして、その記録情報を要求することによって、他の任意の端末上で再生情報が得られる（工程１０）。
【００２０】
上述したような情報装置３００を利用することにより、ネットワークに繋がった全ての端末から、端末が通信可能な情報記録媒体の記録情報を視聴することが可能となる。
【００２１】
また、情報記録媒体１００に記録された情報のうち、任意の一部分だけを通信端末の記憶装置にコピーするようにすることにより、効率的に情報を開示することができ、また、検索の効率化を図ることができる。
【００２２】
上述した例においては、情報記録媒体１００として、ビデオテープカセットを適用して説明したが、本発明はこの例に限定されるものではなく、ＤＶＤ（Ｄｉｇｉｔａｌ　Ｖｅｒｓａｔｉｌｅ　Ｄｉｓｃ）、ＣＤ（Ｃｏｍｐａｃｔ　Ｄｉｓｃ）、ＭＤ（Ｍｉｎｉ　Ｄｉｓｃ）のような光学ディスク、リムーバブル半導体メモリ等、記録再生用端末とは離れた位置に保管できるような記録媒体であれば、いかなるものであってもよい。
【００２３】
また、上述した例においては、情報記録媒体１００の記録部１３のうち、主記録装置１１をビデオテープ、副記録装置１２を半導体メモリとして説明したが、本発明はこの例に限定されるものではなく、主記録装置１１として半導体メモリを適用する場合には、その一部を副記録装置１２に割り当てた構成とすることもできる。
【００２４】
【発明の効果】
本発明によれば、リムーバブルメディアに通信機能を持たせたことにより、ネットワークに繋がった端末に装着されていない状態でも、ネットワークによって形成された共通の情報場に、コンテンツに関するデータを示すことが可能となり、任意の端末から検索することによって、そのリムーバブルメディアの検索が容易になった。
【００２５】
また、リムーバブルメディアを端末から離れた位置に保管している場合においても、ネットワークに繋がった任意の端末から検索することによって、リムーバブルメディアの位置情報等の認識情報やその他のコンテンツデータを検索することが可能となり、情報の管理の自由度が広がった。
【００２６】
また、リムーバブルメディアに記録された情報を、予めネットワークに繋がった任意の端末の記憶装置に記録しておくことにより、他の任意の端末からアクセスすることにより、その記録情報を得ることができるようになった。
【図面の簡単な説明】
【図１】本発明の情報記録媒体の一例の概略平面図を示す。
【図２】本発明の情報記録媒体の一例の概略斜視図を示す。
【図３】情報記録媒体を端末に組み込んだ状態図を示す。
【図４】端末と情報記録媒体との接続関係図を示す。
【図５】本発明の情報装置の概略構成図を示す。
【図６】本発明の情報装置を利用する操作フローを示す。
【符号の説明】
１１……主記録装置、１２……副記録装置、１３……記録部、２０……通信手段、２１……アンテナ、２２……受信部、２３……発信部、２４……電源部、３０……データ入出力端子、３１……端末側入出力端子、１００……情報記録媒体、２００……端末、２０１……供給ロール、２０２……ガイドロール、２０３……磁気ヘッド、２０４……記録再生ドラム、２０５……巻き取りロール、３００……情報装置、３０１……共通の情報場
【図１】
2004071120.tif 000003
【図２】
2004071120.tif 000004
【図３】
2004071120.tif 000005
【図４】
2004071120.tif 000006
【図５】
2004071120.tif 000007
【図６】
2004071120.tif 000008